(57)【要約】【課題】移動や設置場所の制限が比較的小さく、大きな記録媒体への印刷も可能なプリンタを提供する。【解決手段】プリンタ１０は、第１傾斜面２３を有する第１ベッド２２と、記録媒体５の下端部５Ａを支持し、記録媒体５を副走査方向Ｘに移動させる第１支持部材２８と、第１キャリッジ３８に保持され、第１傾斜面２３に載置された記録媒体５にインクを吐出するインクヘッド４０と、を備えた本体ユニット２０と、第２傾斜面６３を有する第２ベッド６２と、記録媒体５の下端部５Ａを支持するときにその上端６８Ａが第１支持部材２８の上端２８Ａと同一の高さに位置する第２支持部材６８と、を備え、本体ユニット２０に着脱可能に連結される補助ユニット６０と、を備えている。本体ユニット２０と補助ユニット６０とが連結されたとき、第１傾斜面２３と第２傾斜面６３とが同一平面上に位置する。【選択図】図１
2019089288.tif 000002
【特許請求の範囲】
【請求項１】
水平面に対して傾斜しかつ第１方向および前記第１方向に直交する第２方向に延びかつ記録媒体が載置される第１傾斜面を有する第１ベッドと、
前記記録媒体の下端部を支持し、前記記録媒体を前記第１方向に移動させる第１支持部材と、
前記第２方向に延びる延伸部材と、
前記延伸部材に設けられ、前記第２方向に移動可能な第１キャリッジと、
前記第１キャリッジに保持され、前記第１ベッドの前記第１傾斜面に載置された前記記録媒体にインクを吐出するインクヘッドと、を備えた本体ユニットと、
水平面に対して傾斜しかつ前記第１方向および前記第２方向に延びかつ前記記録媒体が載置される第２傾斜面を有する第２ベッドと、
前記記録媒体の下端部を支持し、少なくとも前記記録媒体の下端部を支持するときにその上端が前記第１支持部材の上端と同一の高さに位置する第２支持部材と、を備え、前記本体ユニットに着脱可能に連結される補助ユニットと、
を備え、
前記本体ユニットと前記補助ユニットとが連結されたとき、前記第１傾斜面と前記第２傾斜面とが同一平面上に位置する、インクジェット式記録装置。
【請求項２】
前記第１ベッドに載置された前記記録媒体を切断するカッティングヘッドと、
前記カッティングヘッドを保持し、前記第２方向に移動可能な第２キャリッジと、
前記第１キャリッジを駆動する第１駆動源と、
前記第２キャリッジを駆動する第２駆動源と、を備えている、請求項１に記載のインクジェット式記録装置。
【請求項３】
前記延伸部材は、前記第２の方向に延びる第１延伸部材と、前記第１延伸部材と平行に配置され、前記第２の方向に延びる第２延伸部材と、を有し、
前記第１キャリッジは、前記第１延伸部材に設けられ、
前記第２キャリッジは、前記第２延伸部材に設けられている、請求項２に記載のインクジェット式記録装置。
【請求項４】
前記カッティングヘッド、前記第２キャリッジおよび前記第１支持部材を制御する制御装置を備え、
前記第１支持部材は、回転または走行可能に構成され、
前記制御装置は、前記カッティングヘッドによって前記記録媒体の切断が完了した後、前記第１支持部材を回転または走行させる、請求項２または３に記載のインクジェット式記録装置。
【請求項５】
前記カッティングヘッド、前記第２キャリッジおよび前記第１支持部材を制御する制御装置を備え、
前記第１支持部材は、回転または走行可能に構成され、
前記制御装置は、前記インクヘッドによる印刷終了後、前記第１支持部材を回転または走行させることによって、前記記録媒体を開始位置まで引き戻し、その後、前記カッティングヘッドによるカッティングを開始する、請求項２または３に記載のインクジェット式記録装置。
【請求項６】
前記インクヘッドは、前記記録媒体にインクを吐出するノズルおよび前記ノズルが形成されたノズル面を有し、
前記第１ベッドのうち前記延伸部材の上端部と対向する位置に配置され、前記ノズル面を覆うように前記インクヘッドに着脱可能に形成され、前記インクヘッドに取り付けられたときに前記ノズル面との間に密閉空間が形成されるキャップを備えている、請求項１または２に記載のインクジェット式記録装置。
【請求項７】
前記インクヘッドは、前記記録媒体にインクを吐出するノズルおよび前記ノズルが形成されたノズル面を有し、
前記延伸部材は、前記第１支持部材より下方まで延び、
前記第１ベッドのうち前記延伸部材の下端部と対向する位置かつ前記第１支持部材より下方に配置され、前記ノズル面を覆うように前記インクヘッドに着脱可能に形成され、前記インクヘッドに取り付けられたときに前記ノズル面との間に密閉空間が形成されるキャップを備えている、請求項１または２に記載のインクジェット式記録装置。
【請求項８】
前記本体ユニットは、前記第１ベッドの少なくとも一方の側面に前記補助ユニットと連結する第１連結部材を備え、
前記補助ユニットは、前記第２ベッドの少なくとも一方の側面に前記第１連結部材と連結する第２連結部材を備えている、請求項１から７のいずれか一項に記載のインクジェット式記録装置。
【請求項９】
前記第１ベッドには、仕切られた内部空間が形成され、
前記第１傾斜面には、前記内部空間と連通する複数の吸引孔が形成され、
前記内部空間内の空気を吸引する吸引ポンプをさらに備えている、請求項１から８のいずれか一項に記載のインクジェット式記録装置。
【請求項１０】
前記吸引ポンプは、前記第１ベッドの内方かつ前記第１支持部材より上方に配置されている、請求項９に記載のインクジェット式記録装置。
【請求項１１】
前記第２支持部材を支持し、前記第２方向に移動可能に構成された移動部材を備え、
前記第２支持部材が前記記録媒体の下端部を支持していないとき、前記第２支持部材の上端は、前記第１支持部材の上端よりも上方に位置し、
前記移動部材の前記第１方向の端部のうち前記第１支持部材側の端部は、前記第１支持部材に近づくほど、前記第２方向において、前記延伸部材の上端部から離れる方向に湾曲または傾斜している、請求項１から１０のいずれか一項に記載のインクジェット式記録装置。
【請求項１２】
前記延伸部材を前記第１方向に移動可能な移動機構を備えている、請求項１から１１のいずれか一項に記載のインクジェット式記録装置。
【請求項１３】
前記第２支持部材は、前記記録媒体を前記第１方向に移動可能に構成されている、請求項１から１２のいずれか一項に記載のインクジェット式記録装置。
【請求項１４】
前記本体ユニットは、前記第１ベッドを前記第１方向に延びる水平軸まわりに回動させる第１回動機構を備え、
前記補助ユニットは、前記第２ベッドを前記第１方向に延びる水平軸まわりに回動させる第２回動機構を備えている、請求項１から１３のいずれか一項に記載のインクジェット式記録装置。
【発明の詳細な説明】
【技術分野】
【０００１】
本発明は、記録媒体が載置されるベッドを備えたインクジェット式記録装置に関する。
【背景技術】
【０００２】
従来から、記録媒体にインクを吐出するインクヘッドを備えたインクジェット式記録装置が知られている。インクジェット式記録装置としては、例えば、特許文献１に示すように、フラットベッドタイプのインクジェット式記録装置が挙げられる。
【０００３】
特許文献１において、記録媒体が載置されるベッドは平板状に形成されている。特許文献１では、ベッドを水平軸まわりに回動させることによって、ベッドを水平面に対して傾斜させることができる。これにより、記録媒体を傾斜させた状態で記録媒体に印刷を行うことができる。
【先行技術文献】
【特許文献】
【０００４】
【特許文献１】国際公開２０１７／０４７１５３号
【発明の概要】
【発明が解決しようとする課題】
【０００５】
ところで、傾斜したベッドを備えるインクジェット式記録装置は、ベッドが水平面と平行に配置されたベッドを備えるインクジェット式記録装置と比較して、その奥行きの長さが短くなる。このため、搬入口が比較的狭い部屋であっても、傾斜したベッドを備えるインクジェット式記録装置であれば、搬入することができる場合がある。ここで、傾斜したベッドを備えるインクジェット式記録装置であっても、ベッドの幅が比較的大きい場合には、狭い通路を通過できなかったり、設置場所に制限が生じてしまったりするという問題があった。一方、傾斜したベッドを備えるインクジェット式記録装置において、ベッドの幅が比較的小さい場合には、ベッドに載置される記録媒体の幅も小さいものに限られてしまう。
【０００６】
本発明はかかる点に鑑みてなされたものであり、その目的は、移動や設置場所の制限が比較的小さく、大きな記録媒体への印刷も可能なインクジェット式記録装置を提供することである。
【課題を解決するための手段】
【０００７】
本発明に係るインクジェット式記録装置は、水平面に対して傾斜しかつ第１方向および前記第１方向に直交する第２方向に延びかつ記録媒体が載置される第１傾斜面を有する第１ベッドと、前記記録媒体の下端部を支持し、前記記録媒体を前記第１方向に移動させる第１支持部材と、前記第２方向に延びる延伸部材と、前記延伸部材に設けられ、前記第２方向に移動可能な第１キャリッジと、前記第１キャリッジに保持され、前記第１ベッドの前記第１傾斜面に載置された前記記録媒体にインクを吐出するインクヘッドと、を備えた本体ユニットと、水平面に対して傾斜しかつ前記第１方向および前記第２方向に延びかつ前記記録媒体が載置される第２傾斜面を有する第２ベッドと、前記記録媒体の下端部を支持し、少なくとも前記記録媒体の下端部を支持するときにその上端が前記第１支持部材の上端と同一の高さに位置する第２支持部材と、を備え、前記本体ユニットに着脱可能に連結される補助ユニットと、を備え、前記本体ユニットと前記補助ユニットとが連結されたとき、前記第１傾斜面と前記第２傾斜面とが同一平面上に位置する。
【０００８】
本発明のインクジェット式記録装置によると、記録媒体が載置される第１傾斜面や第２傾斜面が水平面に対して傾斜している。このため、第１傾斜面や第２傾斜面が水平面に平行である場合と比較して、本体ユニットや補助ユニットを狭小なスペースに搬入する際に、搬入しやすさが向上する。また、本体ユニットと補助ユニットとは、互いに着脱可能に構成されているため、それぞれを個別に移動させることができる。本体ユニットと補助ユニットとが一体に形成されている場合と比較して、移動時の制約が小さくなる。さらに、記録媒体の大きさに応じて、本体ユニットと補助ユニットとを連結させたり、連結を解除させたりすることができる。即ち、記録媒体が比較的小さい場合には、本体ユニットのみを用いることができ、一方、記録媒体が比較的大きい場合には、本体ユニットに複数の補助ユニットを連結させることによって、記録媒体に印刷を行うことができる。言い換えれば、設置場所のスペースに応じて、本体ユニットと補助ユニットとを連結させたり、連結を解除させたりすることができる。
【発明の効果】
【０００９】
本発明によれば、移動や設置場所の制限が比較的小さく、大きな記録媒体への印刷も可能なインクジェット式記録装置を提供することができる。
【図面の簡単な説明】
【００１０】
【図１】一実施形態に係るプリンタの正面図である。
【図２】一実施形態に係る本体ユニットの側面図である。
【図３】図２のＡ矢視説明図であり、一実施形態に係るインクヘッドの裏面を示すものである。
【図４】図１のＢ矢視説明図であり、一実施形態に係るカッティングヘッドの側面を示すものである。
【図５】一実施形態に係る本体ユニットの断面図である。
【図６】一実施形態に係る補助ユニットの側面図である。
【図７】第１支持部材および第２支持部材の周辺の構造を示す模式図である。
【図８】第１支持部材および第２支持部材の周辺の構造を示す模式図である。
【図９】一実施形態に係るキャッピング装置を示す模式図である。
【図１０】他の一実施形態に係る本体ユニットの側面図である。
【発明を実施するための形態】
【００１１】
以下、図面を参照しながら、本発明の実施形態に係るインクジェット式記録装置について説明する。本実施形態に係るインクジェット式記録装置は、記録媒体に印刷を行いかつ記録媒体を切断するプリント＆カット機（以下、プリンタという。）である。なお、ここで説明される実施形態は、当然ながら特に本発明を限定することを意図したものではない。また、同じ作用を奏する部材・部位には同じ符号を付し、重複する説明は適宜省略または簡略化する。
【００１２】
図１は、本実施形態に係るプリンタ１０を示す正面図である。図１に示すように、プリンタ１０は、記録媒体５に印刷を行う。プリンタ１０は、記録媒体５を切断する。本実施形態の記録媒体５は、例えば、アクリル樹脂等から形成された樹脂板である。記録媒体５は、印刷またはカッティングが可能な媒体であれば足り、特に限定されない。記録媒体５は、アルミや鉄等から形成された金属板、ガラス板、木材板および段ボール等の厚みおよび重量が比較的重いものであってもよいし、記録紙、樹脂製のシート等のシート状のものであってもよい。本明細書において「カッティング」および「切断」とは、記録媒体５の厚み方向の全体を切断する場合と、記録媒体５の厚み方向の一部を切断する場合とが含まれる。
【００１３】
以下の説明では、左、右、上、下とは、プリンタ１０の正面にいる作業者から見た左、右、上、下をそれぞれ意味することとする。また、プリンタ１０から上記作業者に近づく方を前方、遠ざかる方を後方とする。図面中の符号Ｆ、Ｒｒ、Ｌ、Ｒ、Ｕ、Ｄは、それぞれ前、後、左、右、上、下を表す。図面中の符号Ｘは副走査方向を表す。副走査方向Ｘは、第１方向の一例である。本実施形態では、副走査方向Ｘは、左右方向である。図面中の符号Ｙは主走査方向を表す。主走査方向Ｙは、第２方向の一例である。主走査方向Ｙは、副走査方向Ｘと交差する方向（例えば、正面視で垂直に交差する方向）である。本実施形態では、主走査方向Ｙは、後述する第１ベッド２２の第１傾斜面２３に沿った方向である。主走査方向Ｙは、鉛直方向から傾斜した方向である。ただし、上記方向は便宜的に定めたものに過ぎず、限定的に解釈すべきものではない。
【００１４】
図１に示すように、プリンタ１０は、本体ユニット２０と、本体ユニット２０に着脱可能に連結される補助ユニット６０とを備えている。本実施形態では、補助ユニット６０は、本体ユニット２０の右側面に着脱可能に連結される第１補助ユニット６０Ａと、本体ユニット２０の左側面に着脱可能に連結される第２補助ユニット６０Ｂとから構成されているが、これに限定されない。補助ユニット６０は、第１補助ユニット６０Ａおよび第２補助ユニット６０Ｂのいずれか一方であってもよいし、第１補助ユニット６０Ａの右側面や第２補助ユニット６０Ｂの左側面に着脱可能に連結される他の補助ユニットを備えていてもよい。
【００１５】
図１に示すように、本体ユニット２０は、第１ベッド２２と、第１支持部材２８と、ガイドレール３５と、第１キャリッジ３８と、インクヘッド４０と、第２キャリッジ４８と、カッティングヘッド５０と、制御装置８０とを備えている。
【００１６】
図１に示すように、第１ベッド２２は、第１本体２１と、第１支持台３２とを備えている。第１本体２１は、第１支持台３２上に配置されている。第１本体２１は、第１傾斜面２３と、右側面２４Ｒと、左側面２４Ｌと、後面２４Ｘ（図２参照）と、底面２４Ｙ（図２参照）と、上面２４Ｚ（図２参照）とを備えている。図２に示すように、第１傾斜面２３は、水平面ＨＰに対して傾斜角θだけ傾斜している。第１傾斜面２３は、後述する第２ベッド６２の第２本体６１の第２傾斜面６３と同一の傾斜角θだけ傾斜している。傾斜角θは特に限定されないが、例えば、凡そ５０°〜凡そ８０°（例えば６０°）である。傾斜角θは、５０°〜８０°の範囲外、例えば、９０°であってもよい。なお、本体ユニット２０は、第１ベッド２２を副走査方向Ｘに延びる水平軸まわりに回動させる図示しない第１回動機構を備えていてもよい。これにより、第１傾斜面２３の傾斜角θを変更可能に構成してもよい。第１傾斜面２３は、副走査方向Ｘおよび主走査方向Ｙに延びる。第１傾斜面２３には、記録媒体５が載置される。
【００１７】
図２に示すように、第１支持部材２８は、第１支持台３２に設けられた第１支持壁３３に配置されている。第１支持壁３３は、第１傾斜面２３と直交している。本実施形態の第１支持部材２８は、円筒状の駆動ローラである。第１支持部材２８は、副走査方向Ｘに並んで複数配置されている（図１参照）。第１支持部材２８は、側面視で、主走査方向Ｙと直交する方向Ｌに向けて延びる。第１支持部材２８は、その上面を露出させた状態で第１支持壁３３に配置されている。第１支持部材２８は、記録媒体５の下端部５Ａを支持する。第１支持部材２８は、記録媒体５を副走査方向Ｘに移動可能に構成されている。即ち、第１支持部材２８は、第１支持台３２に設けられたモータ２９に接続されており、例えば、モータ２９が正回転すると第１支持部材２８が時計回りに回転し記録媒体５を副走査方向Ｘの一の方向（例えば右方）に移動させ、モータ２９が逆回転すると第１支持部材２８が反時計回りに回転し記録媒体５を副走査方向Ｘの他の一の方向（例えば左方）に移動させる。ここで、第１支持部材２８の動き、即ち、第１支持部材２８上に載置された記録媒体５の副走査方向Ｘへの移動量および移動方向は、インクヘッド４０による印刷およびカッティングヘッド５０によるカッティングに同期するように、制御装置８０によって制御されている。なお、第１支持部材２８が回転（作動）することによって、記録媒体５を副走査方向Ｘに移動させることができるが、後述する第２支持部材６８は、第１支持部材２８の回転によって移動した記録媒体５の動きによって従動的に回転（作動）するように構成されている。即ち、第２支持部材６８の動きは、制御装置８０によって直接的に制御されるものではない。
【００１８】
図１に示すように、本体ユニット２０は、第１ベッド２２の第１本体２１の右側面２４Ｒおよび左側面２４Ｌに補助ユニット６０と連結する第１連結部材２５を備えている。本体ユニット２０は、第１ベッド２２の第１支持台３２の右側面３２Ｒおよび左側面３２Ｌに補助ユニット６０と連結する第１連結部材２５を備えている。第１連結部材２５は、例えば、電磁石であり、通電されると磁界が発生して補助ユニット６０の後述する第２連結部材６５と接着し、通電が停止されると磁界が発生しないため第２連結部材６５との接着が解除される。なお、図２では、便宜上第１連結部材２５の図示を省略している。
【００１９】
図１に示すように、本実施形態のガイドレール３５は、第１ガイドレール３６と、第２ガイドレール４６とを備えている。ガイドレール３５は、延伸部材の一例である。第１ガイドレール３６は、第１延伸部材の一例である。第２ガイドレール４６は、第２延伸部材の一例である。第１ガイドレール３６および第２ガイドレール４６は、主走査方向Ｙに延びる。第１ガイドレール３６および第２ガイドレール４６は、互いに平行に配置されている。第１ガイドレール３６は、第２ガイドレール４６より右方に配置されている。なお、第１ガイドレール３６は、第２ガイドレール４６より左方に配置されていてもよい。第１ガイドレール３６の上端部３６Ａおよび第２ガイドレール４６の上端部４６Ａは、第１ベッド２２の上部に設けられた第２支持壁３４に支持されている。第１ガイドレール３６の下端部３６Ｂおよび第２ガイドレール４６の下端部４６Ｂは、第１支持台３２に設けられた第１支持壁３３に支持されている。図２に示すように、第１ガイドレール３６および第２ガイドレール４６（図１参照）は、方向Ｌに関して第１ベッド２２の第１傾斜面２３から離隔して配置されている。
【００２０】
図１に示すように、第１キャリッジ３８は、第１ガイドレール３６に摺動可能に設けられている。第１キャリッジ３８は、キャリッジ移動機構８Ａによって、第１ガイドレール３６に沿って主走査方向Ｙに往復移動する。キャリッジ移動機構８Ａは、第１ガイドレール３６の上端部３６Ａ側および下端部３６Ｂ側に配置されたプーリ８Ｂおよびプーリ８Ｃを有している。プーリ８Ｂには、キャリッジモータ８Ｄが連結されている。なお、キャリッジモータ８Ｄはプーリ８Ｃに連結されていてもよい。プーリ８Ｂおよびキャリッジモータ８Ｄは、第２支持壁３４に配置されている。プーリ８Ｃは、第１支持壁３３に配置されている。プーリ８Ｂは、キャリッジモータ８Ｄによって駆動される。プーリ８Ｂおよびプーリ８Ｃには、それぞれ無端状のベルト８Ｅが巻き掛けられている。第１キャリッジ３８はベルト８Ｅに固定されている。プーリ８Ｂおよびプーリ８Ｃが回転してベルト８Ｅが走行すると、第１キャリッジ３８が主走査方向Ｙに移動する。キャリッジモータ８Ｄは、第１駆動源の一例である。
【００２１】
図１に示すように、インクヘッド４０は、第１キャリッジ３８に保持されている。図３に示すように、本実施形態では、３つのインクヘッド４０が第１キャリッジ３８に保持されている。インクヘッド４０は、副走査方向Ｘに並ぶ複数のノズル４１と、ノズル４１が形成されたノズル面４２を備えている。ノズル４１内は、負圧（大気圧より低い圧力）に設定されている。インクヘッド４０は、第１ベッド２２の第１傾斜面２３に載置された記録媒体５にインクを吐出する。より詳細には、インクはインクヘッド４０のノズル４１から吐出される。
【００２２】
図１に示すように、第２キャリッジ４８は、第２ガイドレール４６に摺動可能に設けられている。第２キャリッジ４８は、キャリッジ移動機構９Ａによって、第２ガイドレール４６に沿って主走査方向Ｙに往復移動する。キャリッジ移動機構９Ａは、第２ガイドレール４６の上端部４６Ａ側および下端部４６Ｂ側に配置されたプーリ９Ｂおよびプーリ９Ｃを有している。プーリ９Ｂには、キャリッジモータ９Ｄが連結されている。なお、キャリッジモータ９Ｄはプーリ９Ｃに連結されていてもよい。プーリ９Ｂおよびキャリッジモータ９Ｄは、第２支持壁３４に配置されている。プーリ９Ｃは、第１支持壁３３に配置されている。プーリ９Ｂは、キャリッジモータ９Ｄによって駆動される。プーリ９Ｂおよびプーリ９Ｃには、それぞれ無端状のベルト９Ｅが巻き掛けられている。第２キャリッジ４８はベルト９Ｅに固定されている。プーリ９Ｂおよびプーリ９Ｃが回転してベルト９Ｅが走行すると、第２キャリッジ４８が主走査方向Ｙに移動する。キャリッジモータ９Ｄは、第２駆動源の一例である。
【００２３】
図１に示すように、カッティングヘッド５０は、第２キャリッジ４８に保持されている。図４に示すように、カッティングヘッド５０は、ソレノイド５２と、カッター５３とを備えている。ソレノイド５２の電源がＯＮ／ＯＦＦされると、カッター５３は方向Ｌに移動して記録媒体５に接触し、あるいは記録媒体５から離反する。カッティングヘッド５０は、第１ベッド２２の第１傾斜面２３に載置された記録媒体５を切断する。より詳細には、カッター５３は、記録媒体５を切断する。
【００２４】
図５に示すように、第１ベッド２２の第１本体２１には、仕切られた内部空間２６が形成されている。第１傾斜面２３には、内部空間２６と連通する複数の吸引孔２７が形成されている。内部空間２６は、吸引孔２７を介して外部と連通している。本体ユニット２０は、内部空間２６内の空気を吸引する吸引ポンプ３０を備えている。吸引ポンプ３０は、第１本体２１内に配置されている。吸引ポンプ３０は、第１支持部材２８より上方に配置されている。吸引ポンプ３０の吸入口は、チューブ３１を介して内部空間２６と連通している。吸引ポンプ３０は、記録媒体５が第１傾斜面２３に載置された状態において、チューブ３１を介して内部空間２６内の空気を吸引する。これにより、内部空間２６内は、大気圧より低い圧力となり、記録媒体５が第１傾斜面２３に吸引保持される。
【００２５】
図６に示すように、補助ユニット６０は、第２ベッド６２と、第２支持部材６８とを備えている。
【００２６】
図６に示すように、第２ベッド６２は、第２本体６１と、第２支持台７２とを備えている。第２本体６１は、第２支持台７２上に配置されている。第２本体６１は、第２傾斜面６３と、右側面６４Ｒと、左側面６４Ｌ（図１参照）と、後面６４Ｘと、底面６４Ｙと、上面６４Ｚとを備えている。第２傾斜面６３は、水平面ＨＰに対して第１傾斜面２３と同様に傾斜角θだけ傾斜している。なお、補助ユニット６０は、第２ベッド６２を副走査方向Ｘに延びる水平軸まわりに回動させる図示しない第２回動機構を備えていてもよい。これにより、第２傾斜面６３の傾斜角θを変更可能に構成してもよい。また、第１傾斜面２３の傾斜角θと第２傾斜面６３の傾斜角θとの傾斜角が常に同一となるように、第１回動機構および第２回動機構の動きを同期させる連動機構を設けてもよい。第２傾斜面６３は、副走査方向Ｘおよび主走査方向Ｙに延びる。第２傾斜面６３には、記録媒体５が載置される。本体ユニット２０と補助ユニット６０とが連結されたとき、第１傾斜面２３（図２参照）と第２傾斜面６３とは同一平面上に位置する。
【００２７】
図６に示すように、第２支持部材６８は、第２支持台７２に設けられた第３支持壁７３に配置されている。第３支持壁７３は、第２傾斜面６３と直交している。本実施形態の第２支持部材６８は、円筒状の従動ローラである。第２支持部材６８は、側面視で、主走査方向Ｙと直交する方向Ｌに向けて延びる。図７に示すように、第２支持部材６８は、第３支持壁７３に設けられたバネ５２を介して移動部材５４に回転可能に支持されている。バネ５２は、移動部材５４を図７の矢印Ｙ２の方向に付勢している。移動部材５４は、バネ５２の伸縮によって主走査方向Ｙに移動可能に構成されている。移動部材５４の副走査方向Ｘの端部のうち第１支持部材２８側の端部５４Ｒは、第１支持部材２８に近づくほど、主走査方向Ｙにおいて、第１ガイドレール３６の上端部３６Ａから離れる方向に湾曲している。即ち、移動部材５４の端部５４Ｒには、湾曲面５４Ｘが形成されている。なお、移動部材５４の端部５４Ｒには、第１支持部材２８に近づくほど、主走査方向Ｙにおいて、第１ガイドレール３６の上端部３６Ａから離れる方向に直線状に傾斜する傾斜面が形成されていてもよい。第２支持部材６８は、副走査方向Ｘに並んで複数配置されている（図１参照）。第２支持部材６８は、その上面を露出させた状態で移動部材５４に配置されている。第２支持部材６８は、記録媒体５の下端部５Ａを支持する。第２支持部材６８の上端６８Ａは、第２支持部材６８が記録媒体５を支持していないときには、第１支持部材２８の上端２８Ａよりも上方に位置する。即ち、記録媒体５が第１支持部材２８上のみに位置する状態では、第２支持部材６８の上端６８Ａを結ぶ線Ｔ１は、第１支持部材２８の上端２８Ａを結ぶ線Ｔ２よりＴだけ矢印Ｙ２の方向（斜め上方）に位置する。記録媒体５が本体ユニット２０から補助ユニット６０に移動するとき、記録媒体５が端部５４Ｒの湾曲面５４Ｘに乗り上げる。このとき、記録媒体５の重量によって移動部材５４は、図７の矢印Ｙ１の方向に移動する。このとき、バネ５２が縮むことにより第２支持部材６８の上端６８Ａを結ぶ線Ｔ１は、Ｔだけ矢印Ｙ１の方向（斜め下方）に移動する。これにより、第２支持部材６８の上端６８Ａを結ぶ線Ｔ１は、第１支持部材２８の上端２８Ａを結ぶ線Ｔ２と同一の高さに位置する。即ち、第２支持部材６８の上端６８Ａは、記録媒体５の下端部５Ａを支持するときに第１支持部材２８の上端２８Ａと同一の高さに位置する（図８参照）。これにより、記録媒体５が主走査方向Ｙに移動することなく、記録媒体５を第１支持部材２８から第２支持部材６８に向けて移動させたり、記録媒体５を第２支持部材６８から第１支持部材２８に向けて移動させたりすることができる。記録媒体５の全体が補助ユニット６０から本体ユニット２０に移動すると、移動部材５４は、バネ５２の付勢力によって元の位置に戻る。即ち、バネ５２の付勢力によって、第２支持部材６８の上端６８Ａを結ぶ線Ｔ１は、Ｔだけ矢印Ｙ２の方向（斜め上方）に移動する（図７参照）。
【００２８】
図１に示すように、第１補助ユニット６０Ａは、第２ベッド６２の第２本体６１の左側面６４Ｌに本体ユニット２０の第１連結部材２５と連結する第２連結部材６５を備えている。第２補助ユニット６０Ｂは、第２ベッド６２の第２本体６１の右側面６４Ｒに本体ユニット２０の第１連結部材２５と連結する第２連結部材６５を備えている。第１補助ユニット６０Ａは、第２ベッド６２の第２支持台７２の左側面７２Ｌに本体ユニット２０の第１連結部材２５と連結する第２連結部材６５を備えている。第２補助ユニット６０Ｂは、第２ベッド６２の第２支持台７２の右側面７２Ｒに本体ユニット２０の第１連結部材２５と連結する第２連結部材６５を備えている。第２連結部材６５は、例えば、磁石である。なお、図６では、便宜上第２連結部材６５の図示を省略している。
【００２９】
図１に示すように、プリンタ１０は、キャッピング装置９０を備えている。キャッピング装置９０は、第１ベッド２２のうち第１ガイドレール３６の上端部３６Ａと対向する位置に配置されている。キャッピング装置９０は、第１本体２１内に配置されている。キャッピング装置９０は、第２支持壁３４より下方に配置されている。図９に示すように、キャッピング装置９０は、キャップ９１と、キャップ移動機構９２と、吸引ポンプ９３とを備えている。キャップ９１は、インクヘッド４０のノズル４１（図３参照）に付着したインクが硬化してノズル４１が目詰まりすることを抑制する部材である。キャップ９１は、印刷待機時において、ノズル面４２を覆うようにインクヘッド４０に装着される。キャップ移動機構９２は、キャップ９１を支持している。キャップ移動機構９２は、キャップ９１をインクヘッド４０に対してそれぞれ着脱可能なように移動させる機構である。本実施形態では、キャップ移動機構９２は、キャップ９１を方向Ｌ（図２参照）に関してインクヘッド４０に接近する方向および離反する方向に移動させるものである。キャップ移動機構９２の構成は特に限定されないが、例えば、駆動モータ９２ａを備えている。キャップ移動機構９２は、駆動モータ９２ａを駆動させることによって、キャップ９１を方向Ｌに関してインクヘッド４０に接近する方向および離反する方向に移動させる。キャップ移動機構９２は、キャップ９１を方向Ｌに関してインクヘッド４０に接近する方向に移動させることによって、キャップ９１がノズル面４２を覆うキャップ位置に移動させる。これにより、キャップ９１は、インクヘッド４０に装着される。キャップ９１がインクヘッド４０に取り付けられたときに、キャップ９１とノズル面４２との間に密閉空間４３が形成される。キャップ移動機構９２は、キャップ９１を方向Ｌに関してインクヘッド４０から離反する方向に移動させることによって、キャップ９１がノズル面４２から離隔した離隔位置に移動させる。これにより、キャップ９１は、インクヘッド４０から取り外される。
【００３０】
図９に示すように、吸引ポンプ９３は、キャップ９１がインクヘッド４０に装着されている状態において、チューブ９４を介して密閉空間４３内の流体（例えばインクや空気）を吸引する。これにより、密閉空間４３内は、大気圧より低い圧力となる。この結果、吸引ポンプ９３は、インクヘッド４０のノズル４１内のインクを吸引する。吸引ポンプ９３の吸引口は、チューブ９４を介してキャップ９１に接続されている。吸引ポンプ９３の排出口は、廃液タンク９５に接続されている。吸引ポンプ９３に吸引された密閉空間４３内の流体は、廃液タンク９５に貯留される。図２に示すように、吸引ポンプ９３および廃液タンク９５は、第１本体２１内に配置されている。
【００３１】
制御装置８０は、記録媒体５への印刷や記録媒体５の切断を制御する装置である。制御装置８０の構成は特に限定されない。制御装置８０は、例えばマイクロコンピュータである。マイクロコンピュータのハードウェアの構成は特に限定されないが、例えば、ホストコンピュータなどの外部機器から印刷データなどを受信するインターフェイス（Ｉ／Ｆ）と、制御プログラムの命令を実行する中央演算処理装置（ＣＰＵ：central processing unit）と、ＣＰＵが実行するプログラムを格納したＲＯＭ（read only memory）と、プログラムを展開するワーキングエリアとして使用されるＲＡＭ（random access memory）と、プログラムや各種データを格納するメモリなどの記憶装置と、を備えている。図１に示すように、制御装置８０は、第１支持台３２の内部に設けられている。ただし、制御装置８０は、第１ベッド２２の内部に設けられていてもよい。
【００３２】
制御装置８０は、キャリッジ移動機構８Ａのキャリッジモータ８Ｄと、キャリッジ移動機構９Ａのキャリッジモータ９Ｄと、インクヘッド４０と、カッティングヘッド５０と、第１支持部材２８を駆動するモータ２９と、キャップ移動機構９２の駆動モータ９２ａと、吸引ポンプ９３と、第１連結部材２５と、吸引ポンプ３０とに通信可能に接続されている。制御装置８０は、キャリッジモータ８Ｄと、キャリッジモータ９Ｄと、インクヘッド４０と、カッティングヘッド５０と、モータ２９と、駆動モータ９２ａと、吸引ポンプ９３と、第１連結部材２５と、吸引ポンプ３０とを制御する。制御装置８０は、キャリッジモータ８Ｄを介して第１キャリッジ３８の移動を制御する。制御装置８０は、キャリッジモータ９Ｄを介して第２キャリッジ４８の移動を制御する。制御装置は、カッティングヘッド５０によって記録媒体５の切断が完了した後、モータ２９を駆動して第１支持部材２８を回転させる。
【００３３】
次に、記録媒体５に対してインクヘッド４０による印刷およびカッティングヘッド５０によるカッティングを行うときの記録媒体５の動きについて説明する。まず、印刷開始前において、記録媒体５は、記録媒体５の左端部がインクヘッド４０の斜め下方に位置するように、第１支持部材２８および、第１補助ユニット６０Ａの第２支持部材６８上に載置されている。このときの記録媒体５の位置を開始位置とする。
【００３４】
印刷時において、印刷に同期して、記録媒体５は、第１支持部材２８によって図１の左方向に移動する（搬送される）。このとき、第１補助ユニット６０Ａの第２支持部材６８および第２補助ユニット６０Ｂの第２支持部材６８は、記録媒体５の移動に伴って回転する。
【００３５】
印刷が終了すると、記録媒体５の右端部は、インクヘッド４０よりも左方に位置し、記録媒体５は、第１支持部材２８および第２補助ユニット６０Ｂの第２支持部材６８上に載置された状態となる。
【００３６】
次に、カッティング開始前において、記録媒体５は、第１支持部材２８によって上記開始位置まで図１の右方向に移動する（搬送される）。即ち、記録媒体５を開始位置まで引き戻す。このとき、第２補助ユニット６０Ｂの第２支持部材６８および第１補助ユニット６０Ａの第２支持部材６８は、記録媒体５の移動に伴って回転する。
【００３７】
カッティング時において、カッティングに同期して、記録媒体５は、第１支持部材２８によって図１の左方向に移動する（搬送される）。このとき、第１補助ユニット６０Ａの第２支持部材６８および第２補助ユニット６０Ｂの第２支持部材６８は、記録媒体５の移動に伴って回転する。また、インクヘッド４０の斜め下方に記録媒体５が位置しないように、インクヘッド４０を保持するキャリッジ３８を、例えば、キャッピング装置９０上に移動させるとよい。
【００３８】
カッティングが終了すると、カッティングの終了位置によって異なるが、記録媒体５は、第１支持部材２８および第２補助ユニット６０Ｂの第２支持部材６８上または第１支持部材２８および第１補助ユニット６０Ａの第２支持部材６８上に載置された状態となる。なお、上述した例では、印刷とカッティングとを別々に行い、印刷とカッティングとの間に記録媒体５の引き戻し工程が設けられているが、印刷とカッティングを同時に行ってもよい。
【００３９】
以上のように、本実施形態のプリンタ１０によると、記録媒体５が載置される第１傾斜面２３や第２傾斜面６３が水平面ＨＰに対して傾斜している。このため、第１傾斜面２３や第２傾斜面６３が水平面ＨＰに平行である場合と比較して、本体ユニット２０や補助ユニット６０を狭小なスペースに搬入する際に、搬入しやすさが向上する。また、本体ユニット２０と補助ユニット６０とは、互いに着脱可能に構成されているため、それぞれを個別に移動させることができる。本体ユニット２０と補助ユニット６０とが一体に形成されている場合と比較して、移動時の制約が小さくなる。さらに、記録媒体５の大きさに応じて、本体ユニット２０と補助ユニット６０とを連結させたり、連結を解除させたりすることができる。即ち、記録媒体５が比較的小さい場合には、本体ユニット２０のみを用いることができ、一方、記録媒体５が比較的大きい場合には、本体ユニット２０に複数の補助ユニット６０を連結させることによって、記録媒体５に印刷を行うことができる。言い換えれば、設置場所のスペースに応じて、本体ユニット２０と補助ユニット６０とを連結させたり、連結を解除させたりすることができる。
【００４０】
本実施形態のプリンタ１０は、インクヘッド４０を保持する第１キャリッジ３８を駆動するキャリッジモータ８Ｄと、カッティングヘッド５０を保持する第２キャリッジ４８を駆動するキャリッジモータ９Ｄとを備えている。カッティングヘッド５０はインクヘッド４０と比較して、その重量が重くなる傾向にある。ここで、カッティングヘッド５０とインクヘッド４０とを同じキャリッジに保持させる場合には、これらを一体に動かす動力源（例えばモータ）が大型化してしまう。一方、インクヘッド４０を保持する第１キャリッジ３８とカッティングヘッド５０を保持する第２キャリッジ４８とを別々に駆動させることで、比較的小さなキャリッジモータ８Ｄおよびキャリッジモータ９Ｄを用いることができる。これにより、プリンタ１０の大型化や重量の増大を抑制することができる。
【００４１】
本実施形態のプリンタ１０によれば、ガイドレール３５は、主走査方向Ｙに延びる第１ガイドレール３６および第２ガイドレール４６を有している。第１ガイドレール３６と第２ガイドレール４６とは平行に配置されている。インクヘッド４０を保持する第１キャリッジ３８は、第１ガイドレール３６に設けられ、カッティングヘッド５０を保持する第２キャリッジ４８は、第２ガイドレール４６に設けられている。これにより、第１キャリッジ３８と第２キャリッジ４８の制御やメンテナンスが容易となる。
【００４２】
本実施形態のプリンタ１０によれば、制御装置８０は、カッティングヘッド５０によって記録媒体５の切断が完了した後、第１支持部材２８を回転させる。記録媒体５を切断する際には、切りくず等が発生し、これが第１支持部材２８上に堆積する虞がある。そこで、記録媒体５の切断が完了した後に、第１支持部材２８を回転させることによって、第１支持部材２８上の切りくず等を下に落下させる。これにより、第１支持部材２８上から切りくず等を除去することができる。
【００４３】
本実施形態のプリンタ１０によれば、制御装置８０は、インクヘッド４０による印刷が終了した後、第１支持部材２８を回転させることによって、記録媒体５を開始位置まで引き戻す。制御装置８０は、その後、カッティングヘッド５０によるカッティングを開始する。このとき、制御装置８０は、インクヘッド４０をカッティングヘッド５０から離れる方向に移動させるとよい。このように、印刷終了後に記録媒体５のカッティングを行うことによって、カッティングによって生じた切りくず等がインクヘッド４０に付着することを抑制することができる。
【００４４】
本実施形態のプリンタ１０によれば、キャップ９１は、第１ベッド２２のうち第１ガイドレール３６の上端部３６Ａと対向する位置に配置されている。第１ベッド２２のうち第１ガイドレール３６の上端部３６Ａと対向する位置は、比較的スペースが広いため、スペースを有効活用してキャップ９１をコンパクトに配置することができる。
【００４５】
本実施形態のプリンタ１０によれば、本体ユニット２０は、第１ベッド２２の右側面２４Ｒおよび左側面２４Ｌに補助ユニット６０の第２連結部材６５と連結する第１連結部材２５をそれぞれ備えている。これにより、本体ユニット２０の両側面にそれぞれ補助ユニット６０を連結することができ、より大きな記録媒体５に対して印刷等を行うことができる。
【００４６】
本実施形態のプリンタ１０は、第１ベッド２２の内部空間２６内の空気を吸引する吸引ポンプ３０を備えている。記録媒体５が載置される第１傾斜面２３には、内部空間２６と連通する複数の吸引孔２７が形成されている。このため、吸引ポンプ３０によって内部空間２６の空気を吸引することで、記録媒体５が吸引孔２７を介して第１傾斜面２３に吸引保持される。これにより、記録媒体５がずれることを抑制することができる。
【００４７】
本実施形態のプリンタ１０によれば、吸引ポンプ３０は、第１ベッド２２の内方かつ第１支持部材２８より上方に配置されている。第１ベッド２２の内方の空間を有効利用することで、吸引ポンプ３０をコンパクトに配置することができる。
【００４８】
本実施形態のプリンタ１０によれば、移動部材５４の副走査方向Ｘの端部のうち第１支持部材２８側の端部５４Ｒは、第１支持部材２８に近づくほど、主走査方向Ｙにおいて、第１ガイドレール３６の上端部３６Ａから離れる方向に湾曲している。第１傾斜面２３に載置されかつ第１支持部材２８に下端部５Ａを支持された記録媒体５が本体ユニット２０から補助ユニット６０に移動するとき、記録媒体５が移動部材５４の端部５４Ｒの湾曲面５４Ｘに乗り上げて移動する。これにより、第２支持部材６８の全体が、第１ガイドレール３６の上端部３６Ａから離れる方向に移動するため、第１支持部材２８の上端２８Ａと第２支持部材６８の上端６８Ａとが同一の高さとなり、記録媒体５が主走査方向Ｙにずれることなく記録媒体５をスムーズに移動させることができる。
【００４９】
図１０は、第２実施形態に係る本体ユニット２０の側面図である。図１０に示すように、キャッピング装置９０は、第１ベッド２２のうち第１ガイドレール３６の下端部３６Ｂと対向する位置に配置されている。キャッピング装置９０は、第２支持台３２内に配置されている。キャッピング装置９０は、第１支持部材２８より下方に配置されている。なお、本実施形態では、第１ガイドレール３６は、第１支持部材２８より下方まで延びている。吸引ポンプ９３および廃液タンク９５は、第１支持台３２内に配置されている。
【００５０】
本実施形態のプリンタ１０によれば、キャップ９１は、第１ベッド２２のうち第１ガイドレール３６の下端部３６Ｂと対向する位置かつ第１支持部材２８より下方に配置されている。第１支持部材２８より下方であって、第１ベッド２２のうち第１ガイドレール３６の下端部３６Ｂと対向する位置は、比較的スペースが広いため、スペースを有効活用してキャップ５１をコンパクトに配置することができる。
【００５１】
以上、本発明の好適な実施形態について説明した。しかし、上述の各実施形態は例示に過ぎず、本発明は他の種々の形態で実施することができる。
【００５２】
上述した各実施形態では、第１連結部材２５が電磁石であり、第２連結部材６５が磁石であったが、これに限定されない。第１連結部材２５が磁石であり、第２連結部材６５が電磁石であってもよい。また、例えば、第１連結部材２５は凸状に形成され、第２連結部材６５は第１連結部材２５がはまり込む凹状に形成されていてもよい。
【００５３】
上述した各実施形態では、第１ガイドレール３６および第２ガイドレール４６は、それぞれ第１支持壁３３および第２支持壁３４に固定さていたが、これに限定されない。例えば、プリンタ１０は、第１ガイドレール３６および第２ガイドレール４６の少なくとも一方を副走査方向Ｘに移動可能な移動機構を備えていてもよい。例えば、副走査方向Ｘに延びるガイドレールに、第１ガイドレール３６および第２ガイドレール４６を係合させてもよい。これにより、インクヘッド４０やカッティングヘッド５０を副走査方向Ｘに移動させることができる。
【００５４】
上述した各実施形態では、第２支持部材６８は、記録媒体５の移動に伴って回転する構成であったが、これに限定されない。例えば、第２支持部材６８には、他のモータが接続されていてもよい。これにより、例えば、他のモータが正回転すると第２支持部材６８が時計回りに回転し記録媒体５を副走査方向Ｘの一の方向（例えば右方）に移動させ、他のモータが逆回転すると第２支持部材６８が反時計回りに回転し記録媒体５を副走査方向Ｘの一の方向（例えば左方）に移動させてもよい。即ち、第２支持部材６８は、記録媒体５を副走査方向Ｘに移動可能に構成されていてもよい。これにより、記録媒体５の重量が比較的重いものであっても第１支持部材２８および第２支持部材６８によって記録媒体５をスムーズに移動させることができる。また、記録媒体５の全体を本体ユニット２０から補助ユニット６０に移動させた後にも、補助ユニット６０から本体ユニット２０へ記録媒体５を移動させることができる。なお、上述の他のモータと、モータ２９の動きを同期させることによって、第１支持部材２８および第２支持部材６８の回転速度および回転方向を同一にしてもよい。これにより、第１支持部材２８上の記録媒体５の動きと、第２支持部材６８上の記録媒体５の動きとを同期させることができる。
【００５５】
上述した各実施形態では、第１傾斜面２３および第２傾斜面６３は一定の傾斜角θだけ傾斜していたが、例えば、本体ユニット２０は、第１ベッド２２を副走査方向Ｘに延びる水平軸まわりに回動させる第１回動機構を備え、補助ユニット６０は、第２ベッド６２を副走査方向Ｘに延びる水平軸まわりに回動させる第２回動機構を備えていてもよい。これにより、第１傾斜面２３および第２傾斜面６３の水平面ＨＰに対する角度を調整することができる。
【００５６】
上述した各実施形態では、第１支持部材２８および第２支持部材６８は、円筒状のローラであったが、これに限定されない。例えば、第１支持部材２８および第２支持部材６８は、キャリッジ移動機構８Ａのように、２つのプーリと、２つのプーリに巻き掛けられたベルトと、プーリを駆動させるモータとから構成されていてもよい。プーリが回転してベルトが走行することにより、ベルト上の記録媒体を副走査方向Ｘに移動させることができる。
【００５７】
上述した各実施形態では、プリンタ１０は、第１ガイドレール３６と第２ガイドレール４６とを備えていたが、これに限定されない。プリンタ１０は、第１ガイドレール３６および第２ガイドレール４６のいずれか一方のみを備え、該ガイドレールに第１キャリッジ３８および第２キャリッジ４８が保持されていてもよい。
【００５８】
上述した各実施形態では、プリンタ１０は、インクヘッド４０およびカッティングヘッド５０を備えていたが、カッティングヘッド５０を備えていなくてもよい。
【符号の説明】
【００５９】
１０  プリンタ（インクジェット式記録装置）
２０  本体ユニット
２２  第１ベッド
２３    第１傾斜面
２８  第１支持部材
２８Ａ    上端
３６    第１ガイドレール（第１延伸部材）
３８  第１キャリッジ
４０  インクヘッド
６０  補助ユニット
６２  第２ベッド
６３    第２傾斜面
６８  第２支持部材
６８Ａ    上端
【図１】
2019089288.tif 000003
【図２】
2019089288.tif 000004
【図３】
2019089288.tif 000005
【図４】
2019089288.tif 000006
【図５】
2019089288.tif 000007
【図６】
2019089288.tif 000008
【図７】
2019089288.tif 000009
【図８】
2019089288.tif 000010
【図９】
2019089288.tif 000011
【図１０】
2019089288.tif 000012